(57)【要約】【課題】レンズ交換可能な撮像装置において、通常使用時には操作不要なリセットスイッチ等のスイッチを、外観を損なうことなく、また保護カバーなどを設けることなく誤作動を防止可能な構成を実現させる。【解決手段】着脱可能な交換レンズと前記レンズが着脱可能なマウントを備えた撮像装置において、前記レンズ装着時においては、該レンズが、前記撮像装置のリセットスイッチ等のスイッチを、物理的に覆うことにより指による操作を不可能とし、前記レンズを外した状態でのみ操作可能となるような位置に前記スイッチを配置する。【選択図】      図３
2007060251.tif 000002
【特許請求の範囲】
【請求項１】
着脱可能な交換レンズと前記レンズが着脱可能なマウントを備えた撮像装置において、
前記撮像装置の通常撮影時には操作不要なスイッチを、前記レンズ装着時においては操作不能とし、前記レンズを外した状態でのみ操作可能となるような位置に配置したことを特徴とする撮像装置。
【請求項２】
前記撮像装置は前方側方に固定されたグリップ部を備え、該グリップ部は前記レンズと光軸方向に略平行になるよう構成されたものであって、前記撮像装置のスイッチを、前記グリップ部の前記レンズ側側面に配置し、前記レンズ装着時においては操作不能とし、前記レンズを外した状態でのみ操作可能としたことを特徴とする請求項１に記載の撮像装置。
【請求項３】
請求項２に記載のスイッチは、前記撮像装置本体の機能設定のリセットを担うものであって、前記レンズの機能とは無関係であることを特徴とする、請求項２に記載の撮像装置。
【請求項４】
請求項１に記載の撮像装置のスイッチは、撮像装置本体側のマウント近傍もしくはマウント内部に配置され、前記レンズ装着時においては操作不能とし、前記レンズを外した状態でのみ操作可能としたことを特徴とする撮像装置。
【請求項５】
請求項４に記載のスイッチは、前記撮像装置本体の機能設定のリセットを担うものであって、前記レンズの機能とは無関係であることを特徴とする、請求項４に記載の撮像装置。
【発明の詳細な説明】
【技術分野】
【０００１】
本発明は撮像装置に関し、特に撮像装置における、（リセットスイッチ等の）スイッチの配置に関する。
【背景技術】
【０００２】
撮像装置におけるスイッチの誤作動防止の為の技術としては、特許文献１で示されているように、撮像装置にスライドカバーを設け、設定モード、再生モード、撮影モードの何れかのモードを使用中に、使用していないモードに関係するスイッチをそのスライドカバーで覆うことにより、関係ないスイッチの誤作動を防止したものや、もっと単純に、撮像装置の外観カバーに穴形状を設け、その穴形状よりも内側にスイッチの作動部を配置して、ボールペンなど先端の細いものをその穴形状に差し込むことによってしかスイッチを作動させることができないようにした撮像装置などがある。
【特許文献１】特開２００４−６９８３０号公報
【発明の開示】
【発明が解決しようとする課題】
【０００３】
スイッチの誤作動を防止する為に、上記のような方法を用いるとすると、前者はスイッチを保護する為の蓋部材が必要となる。また後者は蓋部材は必要ないものの、撮像装置の外部から見える位置に外観的に好ましくない穴形状が必要であり、又、これを撮像装置底面に配置すると、卓上等の突起物により誤動作の恐れもある。本発明はこれらの問題を省みたものであり、別部材を増やすことなく、また外観を損なうこと無しに、スイッチの誤作動を防止することを目的とする。
【課題を解決するための手段】
【０００４】
上記の問題を解決する為に、本発明の撮像装置は、着脱可能な交換レンズと前記レンズが着脱可能なマウントを備えた撮像装置において、前記撮像装置の通常撮影時には操作不要なスイッチを、前記レンズ装着時においては操作不能とし、前記レンズを外した状態でのみ操作可能となるような位置に配置したことを特徴とする。
【発明の効果】
【０００５】
本発明によれば、別部材を増やすことなく、また外観を損なうこと無しに、スイッチの誤作動を防止することができる。
【発明を実施するための最良の形態】
【０００６】
以下本発明を実施するための最良の形態を、実施例により詳しく説明する。
【実施例】
【０００７】
図１に本発明の効果的な構成を示す。本発明の撮像装置は、撮像部３、記録再生部４、表示部５、制御部６、操作部７より構成された撮像装置本体１と、撮像装置本体１に対して着脱可能な交換レンズ２より成る。交換レンズ２より取り込まれた被写体の像は、ＣＣＤなどを含む本体の撮像部３において電気信号に変換され、記録再生部４に出力される。表示部５は記録再生部４にて記録・再生された画像を表示することができる。
【０００８】
各ブロックの統制制御は制御部６で行う。また、７はメニュースイッチ７ａ、リセットスイッチ７ｂなどを含んだ操作部である。撮像装置本体１は、メニュースイッチ７ａを押すことにより、様々な機能設定の変更を行うことができ、変更時の設定情報は本体に記録される。リセットスイッチ７ｂは、上記のように変更され、記録された機能設定をデフォルト状態に戻す為のスイッチである。
【０００９】
次に、上記構成の適用例として、交換式レンズを装着可能なデジタルビデオカメラへの適用について外観図を用いて説明する。図２はデジタルビデオカメラ１１の斜視図を示している。図中１２のレンズは撮像装置に対して着脱可能な交換式のレンズであり、デジタルビデオカメラ１１は、画角・倍率などの光学性能が異なる交換式レンズを使い分けることによって、撮影状況に合わせた最適な撮影を行うことが可能となっている。
【００１０】
１３は上記レンズ１２を本体に取り付ける為のマウント部である。レンズ１２の取り付け部（図示せず）をマウント部１３に挿入し、図のα方向に一定角度回転させると、ロック機構（図示せず）により、レンズ１２はマウント部１３に固定される。レンズ１２を取り外す際は、ロック機構（図示せず）を解除し、図のβ方向に回転させることによってレンズ１２は取り外される。
【００１１】
１４はデジタルビデオカメラ１１のグリップ部であり、レンズ１２に対して光軸方向に沿って略平行で、且つレンズ１２に近接するような配置関係になっている。また、グリップ部１４にはレンズのズームや動画の撮影などを行う為のスイッチ類が取り付けられているとともに、後述のリセットスイッチが内蔵されている。
【００１２】
１５はグリップ部に取り付けた甲当て部材であり、ビデオカメラ１１を肩担ぎする際には、肩当て部材１６を肩に乗せ、右手をグリップ部１４と甲当て部材１５との間に差し込んで、手のひらでグリップ部を掴むようにする。
【００１３】
１７はファインダーユニットで、内部は複数枚のレンズ及び表示パネル（図示せず）によって構成されており、撮影中や画像の再生時には、前記表示パネルに画像が表示されるようになっている。
【００１４】
また、デジタルビデオカメラ１１の側面には、メニュ−スイッチ１８が配置され、デジタルビデオカメラ１１の各種機能設定を行うことができる。これらの設定は、初期状態では出荷時に設定されたデフォルトの設定となっている。撮影者は必要に応じてこれらの設定を変更し、カスタマイズすることが可能であり、その際の変更内容は、本体に内蔵されたメモリ（図示せず）にて保存されるので、撮影者は一度本体の電源を切って後日再び撮影を行う場合でも、前回変更した機能設定が反映された状態で撮影を行うことができる。
【００１５】
リセットスイッチ１９は、メニュースイッチ１８を用いてカスタマイズされた設定内容をリセットする為のプッシュスイッチである。撮影者がカスタマイズした設定内容を初期状態に戻したい時、このリセットスイッチ１９を押すことにより、全ての設定を初期状態に戻すことができる。
【００１６】
ここで、リセットスイッチは図３で示される２ヶ所のうちどちらか一方に配置する。１ヶ所目はリセットスイッチ２０の位置、すなわち、デジタルビデオカメラ１１にレンズ１２を装着した際に、レンズ１２の側面と対向する位置にあり、且つレンズ１２の陰になる側の、グリップ部１４の側面である。
【００１７】
２ヶ所目はリセットスイッチ２１の位置、すなわちレンズ１２を取り付けた際に操作不能となるような本体マウント部１３の近傍である。ここで「マウント近傍」というのは、マウント内部であっても良い。
【００１８】
上記のうちどちらか一方にリセットスイッチを配置することにより、レンズ１２装着時にはリセットスイッチ２０、もしくはリセットスイッチ２１がレンズ１２の陰となって外部から見えにくくなり、外観を損なうことが無くなるとともに、蓋部材などを増やすこと無しに、スイッチの誤作動を防止することができるようになる。
【００１９】
なお、本発明におけるスイッチはリセットスイッチに限らず、誤作動を防止する必要のあるスイッチならばどんなスイッチに対しても適用できるとともに、スイッチの形態もスライドスイッチなどプッシュスイッチ以外のスイッチに対しても適用可能である。
【図面の簡単な説明】
【００２０】
【図１】本発明の構成図である。
【図２】本発明の実施例における、デジタルビデオカメラ装置の斜視図である。
【図３】本発明の実施例において、デジタルビデオカメラにレンズを装着した際に、レンズの陰になる位置にリセットスイッチを配置したことを示した図である。
【符号の説明】
【００２１】
１    撮像装置本体
２    交換レンズ
３    撮像部
４    記録再生部
５    表示部
６    制御部
７    操作部
７ａ  メニュースイッチ
７ｂ  リセットスイッチ
１１  デジタルビデオカメラ
１２  交換式レンズ
１３  マウント部
１４  グリップ部
１５  グリップ部の甲当て部
１６  肩乗せパッド
１７  ファインダー部
１８  メニュースイッチ
１９  リセットスイッチ
２０  レンズの側面と対向する位置に配置されたリセットスイッチ
２１  マウント近傍に配置されたリセットスイッチ
【図１】
2007060251.tif 000003
【図２】
2007060251.tif 000004
【図３】
2007060251.tif 000005